(57)【要約】      （修正有）【課題】ユーザの好みに合う裏番組が存在する場合に、その裏番組に関する情報を表示し、そのような番組を見過ごしたりしないようにするために、ユーザに対して、視聴等を行うための直感的な操作を誘導できるようにする。【解決手段】ユーザの好みに合う番組などが裏番組となっている場合に、リモコン装置に対してその裏番組の情報を送信し、リモコン装置は、受信した裏番組の情報に基づきタッチ型チャンネル選択インターフェイス部のタッチ部分の形態を変化せることにより、裏番組の存在を通知するとともに直感的な操作を誘導する。【選択図】図１
2010135948.tif 000002
【特許請求の範囲】
【請求項１】
テレビ放送を視聴させるための視聴部と、
ＥＰＧ保持部と、
番組抽出のためのルールを保持するルール保持部と、
ＥＰＧを利用して前記保持されたルールに従い番組を抽出する番組抽出部と、
抽出された番組がその番組の放送時間帯に視聴部から出力されず、他の番組が視聴部から出力されることで、抽出された番組が裏番組となる場合に、その裏番組のチャンネル選択のための選択情報をリモコン装置に送信するテレビ側送信部と、
を有するテレビ装置と、
テレビ側送信部から選択情報を受信するためのリモコン側受信部と、
制御信号に応じてタッチ部分の形態を変化させる機能を有するタッチ型チャンネル選択インターフェイス部と、
受信した選択情報に応じてタッチ型チャンネル選択インターフェイス部に制御信号を送る制御部と、
を有するリモコン装置と、
からなるリモコンシステム。
【請求項２】
テレビ装置のルール保持部は、
ユーザに推薦する番組抽出のためのルールである推薦番組抽出ルールを保持する推薦番組抽出ルール保持手段を有する請求項１に記載のリモコンシステム。
【請求項３】
リモコン装置のタッチ型チャンネル選択インターフェイス部は、制御信号に応じて色彩が変化する輝度変化型ボタンを有する請求項１または２に記載のリモコンシステム。
【請求項４】
リモコン装置のタッチ型チャンネル選択インターフェイス部は、制御信号に応じて形状が変化する形状変化型ボタンを有する請求項１から３のいずれか一に記載のリモコンシステム。
【請求項５】
リモコン装置のタッチ型チャンネル選択インターフェイス部は、制御信号に応じて模様が変化する模様変化型ボタンを有する請求項１から４のいずれか一に記載のリモコンシステム。
【請求項６】
リモコン装置のタッチ型チャンネル選択インターフェイス部は、制御信号に応じて複数のタッチ部分の形態を同時に変化させる同時変化手段を有する請求項１から５のいずれか一に記載のリモコンシステム。
【請求項７】
リモコン装置のタッチ型チャンネル選択インターフェイス部は、制御信号に応じて複数のタッチ部分の形態を時系列に変化させる時系列変化手段を有する請求項１から６のいずれか一に記載のリモコンシステム。
【請求項８】
リモコン装置のタッチ型チャンネル選択インターフェイス部に対して送信される制御信号に応じて告知音を出力する告知音出力部を有する請求項１から７のいずれか一に記載のリモコンシステム。
【請求項９】
テレビ装置のテレビ側送信部は、送信される選択情報として複数の裏番組のチャンネル選択のための選択情報を送信する複数送信手段を有する請求項１から８のいずれか一に記載のリモコンシステム。
【請求項１０】
リモコン装置のタッチ型チャンネル選択インターフェイス部は、複数チャンネル選択分の制御信号が制御部から送信された場合には、各チャンネルに応じてタッチ部分の形態の変化を識別できるように形態の変化をさせるチャンネル別変化手段を有する請求項９に記載のリモコンシステム。
【請求項１１】
請求項１から１０のいずれか一に記載のテレビ装置。
【請求項１２】
請求項１から１０のいずれか一に記載のリモコン装置。
【請求項１３】
テレビ装置と、リモコン装置とからなるリモコンシステムの動作方法であって、
前記テレビ装置にて、
ＥＰＧを利用して番組抽出のためのルールに従い番組を抽出する番組抽出ステップと、
番組抽出ステップにて抽出された番組がその番組の放送時間帯に視聴のために出力されず、他の番組が視聴のために出力されることで、抽出された番組が裏番組となるかを判断する判断ステップと、
判断ステップでの判断結果が抽出された番組が裏番組となるとの判断結果である場合に、
その裏番組のチャンネル選択のための選択情報をリモコン装置に送信するテレビ側送信ステップと、を有し、
前記リモコン装置にて、
テレビ側送信ステップにて送信された選択情報を受信するリモコン側受信ステップと、
リモコン側受信ステップにて受信された選択情報に応じて、タッチ型チャンネル選択インターフェイスに対して制御信号を送信する制御信号送信ステップと、
送信された制御信号に応じてタッチ型チャンネル選択インターフェイスのタッチ部分の形態を変化させるタッチ部分形態変化ステップと、
を計算機に実行させるリモコンシステムの動作方法。
【発明の詳細な説明】
【技術分野】
【０００１】
本件発明は、ユーザの好みに合った裏番組がある場合に、当該裏番組の情報をリモコン装置に送信し、リモコン装置を介してユーザに通知するリモコンシステムに関する。
【背景技術】
【０００２】
地上デジタル放送、衛星放送（ＢＳ、ＣＳ等）、ケーブルテレビ等の様々な媒体を介して放送されるコンテンツの増加に伴い、ユーザは自らの好みに合った番組に気付かないでいる場合がある。また、予め番組表などにより好みに合う番組に気付いていた場合であっても、その放送時間において忘れてしまったり、あるいは、視聴／録画予約の設定を誤ったりして、結果的に好みに合う番組の視聴ができなくなってしまうという事態が生じる。
【０００３】
そこで、このような問題を解決するために、特許文献１のようにユーザの好みに合った番組が裏番組となっている場合に、その裏番組の開始時刻前に、テレビ装置等の画面にその裏番組の情報を表示して、ユーザに対してその裏番組の存在を通知する技術が提案されている。
【特許文献１】特開２００４−３４３４１１
【発明の開示】
【発明が解決しようとする課題】
【０００４】
しかしながら、テレビ装置の画面に情報を表示すると、その際の視聴の妨げになる。これは、表示される裏番組が複数存在する場合には、視聴中の画面を裏番組の表示のために割く領域がより拡大するため尚更である。また、その裏番組を視聴するためには別途操作が必要になるところ、裏番組の情報を表示するに止まっているため、その後の操作を直感的に誘導することができないという問題があった。
【課題を解決するための手段】
【０００５】
そこで、本発明では次に示すリモコンシステム及びリモコンシステムの動作方法を提供する。すなわち第一の発明としては、テレビ放送を視聴するための視聴部と、ＥＰＧ保持部と、番組抽出のためのルールを保持するルール保持部と、ＥＰＧを利用して前記保持されたルールにて番組を抽出する番組抽出部と、抽出された番組がその放送時間帯に視聴部から出力されず、他の番組が視聴部から出力されることで、抽出された番組が裏番組となる場合に、その裏番組のチャンネルの選択のための選択情報をリモコン装置に送信するテレビ側送信部とを有するテレビ装置と、テレビ側送信部から選択情報を受信するためのリモコン側受信部と、制御信号に応じてタッチ部分の形態を変化させる機能を有するタッチ型チャンネル選択インターフェイス部と、受信した選択情報に応じてタッチ型チャンネル選択インターフェイス部に制御信号を送る制御部とを有するリモコン装置とからなるリモコンシステムを提供する。
【０００６】
第二の発明としては、テレビ装置のルール保持部は、ユーザに推薦する番組抽出のためのルールである推薦番組抽出ルールを保持する推薦番組抽出ルール保持手段を有する第一の発明に記載のリモコンシステムを提供する。
【０００７】
第三の発明としては、リモコン装置のタッチ型チャンネル選択インターフェイス部は、制御信号に応じて色彩が変化する色彩変化型ボタンを有する第一の発明または第二の発明に記載のリモコンシステムを提供する。
【０００８】
第四の発明としては、リモコン装置のタッチ型チャンネル選択インターフェイス部は、制御信号に応じて形状が変化する形状変化型ボタンを有する第一の発明から第三の発明のいずれか一に記載のリモコンシステムを提供する。
【０００９】
第五の発明としては、リモコン装置のタッチ型チャンネル選択インターフェイス部は、制御信号に応じて模様が変化する模様変化型ボタンを有する第一の発明から第四の発明のいずれか一に記載のリモコンシステムを提供する。
【００１０】
第六の発明としては、リモコン装置のタッチ型チャンネル選択インターフェイス部は、制御信号に応じて複数のタッチ部分の形態を同時に変化させる同時変化手段を有する第一の発明から第五の発明のいずれか一に記載のリモコンシステムを提供する。
【００１１】
第七の発明としては、リモコン装置のタッチ型チャンネル選択インターフェイス部は、制御信号に応じて複数のタッチ部分の形態を時系列に変化させる時系列変化手段を有する第一の発明から第六の発明のいずれか一に記載のリモコンシステムを提供する。
【００１２】
第八の発明としては、リモコン装置のタッチ型チャンネル選択インターフェイス部に対して送信される制御信号に応じて告知音を出力する告知音出力部を有する第一の発明から第七の発明のいずれか一に記載のリモコンシステムを提供する。
【００１３】
第九の発明としては、テレビ装置のテレビ側送信部は、送信される選択情報として複数の裏番組のチャンネル選択のための選択情報を送信する複数送信手段を有する第一の発明から第八の発明のいずれか一に記載のリモコンシステムを提供する。
【００１４】
第十の発明としては、リモコン装置のタッチ型チャンネル選択インターフェイス部は、複数チャンネル選択分の制御信号が制御部から送信された場合には、各チャンネルに応じてタッチ部分の形態の変化を識別できるように形態の変化をさせるチャンネル別変化手段を有する第九の発明に記載のリモコンシステムを提供する。
【００１５】
第十一の発明としては、第一の発明から第十の発明のいずれか一に記載のテレビ装置を提供する。
【００１６】
第十二の発明としては、第一の発明から第十一の発明のいずれか一に記載のテレビ装置を提供する。
【００１７】
第十三の発明としては、テレビ装置と、リモコン装置とからなるリモコンシステムの動作方法であって、前記テレビ装置にて、ＥＰＧを利用して番組抽出のためのルールに従い番組を抽出する番組抽出ステップと、番組抽出ステップにて抽出された番組がその番組の放送時間帯に視聴のために出力されず、他の番組が視聴のために出力されることで、抽出された番組が裏番組となるかを判断する判断ステップと、判断ステップでの判断結果が抽出された番組が裏番組となるとの判断結果である場合に、その裏番組のチャンネル選択のための選択情報をリモコン装置に送信するテレビ側送信ステップとを有し、前記リモコン装置にて、テレビ側送信ステップにて送信された選択情報を受信するリモコン側受信ステップと、リモコン側受信ステップにて受信された選択情報に応じて、タッチ型チャンネル選択インターフェイスに対して制御信号を送信する制御信号送信ステップと、送信された制御信号に応じてタッチ型チャンネル選択インターフェイスのタッチ部分の形態を変化させるタッチ部分形態変化ステップとを計算機に実行させるリモコンシステムの動作方法を提供する。
【発明の効果】
【００１８】
本発明により、ユーザの好みに合うなどの裏番組が存在する場合に、視聴妨害をせずにその裏番組の存在をリモコン装置に通知するとともに、直感的な操作を誘導する。
【発明を実施するための最良の形態】
【００１９】
以下、本発明の実施の形態について説明する。なお、本発明は、これらの実施形態に何ら限定されるべきものではなく、その要旨を逸脱しない範囲において、種々なる態様で実施し得る。
【００２０】
実施形態１は、主に請求項１、１１、１２、１３について説明する。
【００２１】
実施形態２は、主に請求項２、１１、１２について説明する。
【００２２】
実施形態３は、主に請求項３、４、５、１１、１２について説明する。
【００２３】
実施形態４は、主に請求項６、１１、１２について説明する。
【００２４】
実施形態５は、主に請求項７、１１、１２について説明する。
【００２５】
実施形態６は、主に請求項８、１１、１２について説明する。
【００２６】
実施形態７は、主に請求項９、１１、１２について説明する。
【００２７】
実施形態８は、主に請求項１０、１１、１２について説明する。
<実施形態１>
<実施形態１  概要>
【００２８】
本実施形態は、裏番組の選択のための選択情報をリモコン装置に送信するテレビ装置と、前記受信した選択情報に応じてタッチ型チャンネル選択インターフェイス部のタッチ部分の形態が変化するリモコン装置とからなるリモコンシステムである。
<実施形態１  構成>
【００２９】
本実施形態に係るリモコンシステムの機能ブロック図を図１に例示する。リモコンシステムは、「テレビ装置」（０１００）と「リモコン装置」（０１１０）とを備える。テレビ装置は、「視聴部」（０１０１）と、「ＥＰＧ保持部」（０１０２）と、「ルール保持部」（０１０３）と、「番組抽出部」（０１０４）と、「テレビ側送信部」（０１０５）とを有する。リモコン装置は、「リモコン側受信部」（０１１１）と、「制御部」（０１１２）と、「タッチ型チャンネル選択インターフェイス部」（０１１３）とを有する。
【００３０】
本件発明の構成要素である各部は、ハードウェア、ソフトウェア、ハードウェアとソフトウェアの両者、のいずれかによって構成される。例えば、これらを実現する一例としてコンピュータを利用する場合には、ＣＰＵ、メモリ、バス、インターフェイス、周辺装置等から構成されるハードウェアと、これらのハードウェア上で実行可能なソフトウェアを挙げることができる。具体的には、メモリ上に展開されたプログラムを順次実行することで、メモリ上のデータや、インターフェイスを介して入力されるデータの加工、蓄積、出力等により各部の機能が実現される（本明細書の全体を通じて同様である）。
【００３１】
まず、「テレビ装置」（０１００）の各構成について説明する。
【００３２】
「視聴部」（０１０１）は、テレビ放送を視聴させるための機能を有する。ここで、「テレビ放送」は、アナログ地上波放送、ＢＳアナログ放送、デジタル地上波放送、ＢＳデジタル放送、ＣＳ放送などで放送される番組やインターネット放送やケーブル放送などで放送される番組などをいう。視聴部は、一例として、描画処理のためのグラフィックボード（ビデオカード）、ディスプレイ、スピーカなどで構成されている。
【００３３】
「ＥＰＧ保持部」（０１０２）は、ＥＰＧ（電子番組表乃至電子番組表を構成する情報）を保持する機能を有する。ＥＰＧは、具体的には、例えば、デジタル放送波のＭＰＥＧ２のＴＳ（Ｔｒａｎｓｐｏｒｔ  Ｓｔｒｅａｍ）にて多重化されているＳＩ（Ｓｅｒｖｉｃｅ  Ｉｎｆｏｒｍａｔｉｏｎ）やアナログ放送波のＶＢＩ（Ｖｅｒｔｉｃａｌ  Ｂｌａｎｋｉｎｇ  Ｉｎｔｅｒｖａｌ）データに含まれる電子番組表データ等が該当する。ＥＰＧは、番組のタイトル、放送日時、チャンネル、ジャンル、出演者、番組内容の概要及び詳細情報などの番組に関する種々の情報を含む。番組抽出部での番組抽出の際などで利用される。ＥＰＧ保持部は、ＥＰＧをＲＡＭやＨＤＤ等の所定の記憶領域に格納する。
【００３４】
「ルール保持部」（０１０３）は、番組抽出のためのルールを保持する機能を有する。番組抽出のためのルールとは、番組抽出部にてＥＰＧを利用して番組を抽出する際に、番組が抽出されるために満たすべき条件や要件などのことを意味する。例えば、「ユーザが指定するジャンルに該当する番組を抽出の対象とする」というルールや、「ユーザが指定した出演者が出演する番組を抽出の対象とする」というルールなどである。また、ルールは複数のルールを重畳的に用いて一のルールとしてもよいし（ルールＡかつルールＢ）、選択的に用いて一のルールとしてもよい（ルールＡまたはルールＢ）。ルール保持部は、上記のような所定のルールをＨＤＤやメモリ等の記憶装置に格納して保持する。
【００３５】
「番組抽出部」（０１０４）は、ＥＰＧを利用して前記保持されたルールにて番組を抽出する機能を有する。「ＥＰＧを利用して」とは、番組抽出の際に、ＥＰＧを構成する番組に関する情報を参照して抽出するということである。番組に関する情報である「ジャンル」や「出演者」などの情報は、番組と関連付けられている。番組抽出部は、これらの情報を参照して、前記ルールに従い番組を抽出する。例えば、ルール保持部が、「ドラマのジャンルに該当し、かつ、山田太郎が出演する番組」というルールを保持している場合には、番組抽出部は、ＥＰＧの「ジャンル」と「出演者」の情報を参照し、該当する番組を抽出する。なお、番組抽出部は、少なくともテレビ装置が更新されたＥＰＧを受信あるいは取得するのに伴い番組を抽出する。
【００３６】
「テレビ側送信部」（０１０５）は、抽出された番組がその放送時間帯に視聴部から出力されず、他の番組が視聴部から出力されることで、抽出された番組が裏番組となる場合に、その裏番組のチャンネルの選択のための選択情報をリモコン装置に送信する機能を有する。抽出された番組が裏番組となってしまうのは、その放送時間帯に視聴部にて当該番組が出力されないことによる。したがって、テレビ側送信部は、視聴部から出力されている番組が抽出された番組に該当するかを判断する。この際には、ＥＰＧにおいて各番組に一意に付与される識別番号を参照することにより、このような判断を行う。抽出された番組の識別番号と視聴部から出力されている番組の識別番号が異なっている場合には、抽出された番組は視聴部から出力されておらず裏番組となると判断する。このような判断は、抽出された番組が現に裏番組となる前に、すなわち、抽出された番組の放送開始時間が到来する前に判断することが好ましい。抽出された番組の存在を、その放送開始前に知ることができれば当該番組を最初から視聴乃至録画することができるからである。そのために、抽出された番組の放送開始時間の１０分前や、５分前、あるいはその双方などのタイミングで判断を行うようにしてもよい。また、放送時間帯においても継続的に、あるいは、間欠的に判断を行うようにしてもよい。このような判断のタイミングは予め装置に設定してもよいし、ユーザの設定に委ねてもよい。
【００３７】
上記のように抽出された番組が裏番組となる場合に、テレビ側送信部は、その裏番組のチャンネル選択のための選択情報をリモコン装置に送信する。「チャンネル選択のための選択情報」とは、その裏番組を視聴部から出力させることによりユーザが視聴可能になるために選択すべきチャンネルについての情報である。受信可能な放送メディアが地上波アナログ放送に限られる場合には単にチャンネル番号を表す数字、例えば、ＮＨＫ放送であれば、数字の「１」をもってチャンネル選択情報となり得る。また、ＢＳやＣＳなど複数の放送メディアを受信可能であれば、抽出された番組が放送される放送メディアと当該メディア内のチャンネルがチャンネル選択情報となる。このチャンネル選択情報は、番組抽出部にて抽出した際に利用したＥＰＧに基づく情報を利用してテレビ側送信部にて生成してもよい。選択情報をＸＭＬ形式で生成した場合を図２に例示する。ここでは、抽出された番組の放送時間やチャンネルに加えて概要や出演者などの情報も構成に含むものとなっている。選択情報の構成は、リモコン装置に応じてもよい。例えば、ディスプレイなどの表示装置を有するリモコンに対しては各種の情報を構成に含め、それらをリモコン装置のディスプレイに表示するために供してもよい。そのような表示装置を有さないリモコン装置には、放送メディアと放送チャンネルなどの抽出された番組を特定するために十分な情報を構成に含むものとしてもよい。
【００３８】
テレビ側送信装置が、前記判断に基づき選択情報をリモコン装置に送信するタイミングは、前記判断と連動して送信してもよいし、その放送開始時間が到来する前の所定の時間において送信するようにしてもよい。このようなリモコン装置への送信は継続的に行ってもよいし、間欠的に行ってもよい。リモコン装置への送信は、抽出された番組が裏番組であり続ける限り行ってもよい。または、テレビ装置あるいはリモコン装置においてユーザが送信の中止を指示した場合に、送信の中止を行ってもよい。
【００３９】
リモコン側受信部への送信は、無線通信であっても有線通信であってもよい。通信方式としては、ＩｒＤＡ（Ｉｎｆｒａｒｅｄ Ｄａｔａ Ａｓｓｏｃｉａｔｉｏｎ）やＩｒＳｉｍｐｌｅなどの赤外線通信、Ｂｌｕｅｔｏｏｔｈ（登録商標）、Ｗｉｒｅｌｅｓｓ ＵＳＢ、ＮＦＣ（Ｎｅａｒ Ｆｉｅｌｄ Ｃｏｍｍｕｎｉｃａｔｉｏｎ）、無線ＬＡＮなどの無線通信であってもよい。また、インターネットを介したりＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などの所定のインターフェイスに則した有線通信であっても構わない
【００４０】
次に、「リモコン装置」（０１１０）の各構成について説明する。
【００４１】
「リモコン側受信部」（０１１１）は、テレビ側送信部から選択情報を受信する機能を有する。制御部（０１１２）は、選択情報に応じて制御信号をタッチ型チャンネル選択インターフェイスに送信するので、リモコン側受信部は、受信した選択情報を制御部へ送信する。受信のための通信方式はテレビ側送信部に応じたものであり、具体的方式については、テレビ側送信部と同様であるので説明を省略する。
【００４２】
「タッチ型チャンネル選択インターフェイス部」（０１１３）は、制御信号に応じてタッチ部分の形態を変化させる機能を有する。タッチ型チャンネル選択インターフェイス部は、ユーザからのチャンネル選択指示をタッチにより受付けるインターフェイスである。タッチにより受付けるということは、機械的なボタンやキーをユーザが指などで押下することにより指示を受付けることであってもよく、あるいは、指示内容を表す数字、文字列、図柄などをタッチパネルにグラフィックにて描写することによりタッチ部分を示し、タッチ部分に指やスタイラスペンなどでタッチすることにより指示を受付けることであってもよい。
【００４３】
タッチ部分の「形態」とは、タッチ部分の「形状」、「模様」、「色彩」又は、これらの組み合わせをいう。さらに、「色彩」には「輝度」をも含む。タッチ部分の形態を変化させるとは、上記「形状」等を変化させることをいう。「形態」が変化した場合の例を図３に示す。図３Ａは、「４」チャンネルに裏番組が存在する場合に形態が変化した例である。通常の状態ではタッチパネルにチャンネルを選択するための１から１２までのグラフィックにて描画されたボタンが等間隔にて配置されているものが、変化により「４」のボタンが他のボタンに対して顕著に大きくなるとともに点滅している。図３Ｂにおいては、機械的なボタンの「４」が設置されている近傍をＬＥＤなどで点滅させている。図３Ｃにおいては、数字などのチャンネルを指定するためのボタンの代わりにタッチすることにより裏番組を視聴するための指示を受付けるタッチ領域として「おすすめ！」アイコンを目立つように表示させる。もちろん、チャンネルを指定するためのボタンとともに表示させてもよい。図３Ｄにおいては、４つに分割された円の中央部分に設置された「決定」ボタンの近傍をＬＥＤなどで点滅させている。これらに挙げた形態の変化は一例に過ぎず、ユーザに対して、裏番組が存在することを通知し、その裏番組を視聴するために必要な操作指示を受付けるためのタッチ部分が、他の部分と比較して識別できるように変化させればよいということである。なお、タッチ部分の形態の変化に、選択情報の送信を中止させる指示を受付けるためのボタンや抽出された番組の録画の指示を受付けるためのボタンなどを表示させることを含めてもよい。また、タッチ部分の形態の変化は、ユーザが裏番組となっていた抽出された番組の視聴を開始することにより、元の形態に戻るようにしてもよい。
【００４４】
タッチ型チャンネル選択インターフェイス部が、タッチパネルを備えるものである場合には、図３に示したようなタッチ部分の形態の変化に応じてタッチパネルに表示されるグラフィックを描画するための画面表示用データなどをデータベース化してＲＯＭ等の所定の記憶領域に保持しておいてもよい。また、機械的ボタンを備える場合には、ボタンあるいはボタン近傍を点灯又は／及び点滅させるＬＥＤ等の発光素子をハードウェア制御するプログラムを備えていてもよい。
【００４５】
「制御部」（０１１２）は、受信した選択情報に応じて、タッチ型チャンネル選択インターフェイス部に制御信号を送る機能を有する。「タッチ型チャンネル選択インターフェイス部」（０１１３）は、この制御信号に応じてタッチ部分の形態を変化させる。上述したように、例えば、タッチ型チャンネル選択インターフェイス部が画面表示用のデータベースを有する場合であれば、受信した選択情報に基づき抽出された番組のチャンネルの形態を変化させるための画面表示用データを特定しタッチパネルにてグラフィック描画をさせるための指示を制御信号として送ってもよい。あるいは、そのためのプログラムを実行してもよい。また、タッチ型チャンネル選択インターフェイス部が機械的なボタンを備えるものである場合には、ＬＥＤ等をハードウェア制御するプログラムを実行することにより制御してもよいし、タッチ型チャンネル選択インターフェイス部が有するプログラムに対して実行させる指示を制御信号として送ってもよい。
<実施形態１  ハードウェア構成>
【００４６】
次に、本実施形態のリモコンリシステムのハードウェア構成について説明する。図４は、本実施形態のリモコンシステムのテレビ装置のハードウェア構成の一例を示す概略図である。この図を利用して、テレビ装置のそれぞれのハードウェア構成部の働きについて説明する。この図にあるように、テレビ装置は、番組抽出部とテレビ側送信部に「ＣＰＵ」（０４０１）と「メインメモリ」（０４０２）を備える。また、ＥＰＧ保持部とルール保持部に「記憶装置」（０４０３）を備えている。また、放送される番組コンテンツを受信する「チューナ」（０４０４）や、インターネット回線を介して配信されるコンテンツやＥＰＧを取得するための「インターネット接続回路」（図示省略）や外部のコンテンツ録画再生装置などと接続するための「外部装置接続端子」（図示省略）を備えている。また、テレビ側送信部にリモコン装置（０４００）に送信するための「送信回路」（０４０５）を備えている。また、視聴部に描画処理のためのグラフィックボード（ビデオカード）などである「表示回路」（０４０６）と「ディスプレイ」（０４０７）などを備えている。これらは「システムバス」（０４０８）などのデータ通信経路によって相互に接続され、情報の送受信や処理を行う。「記憶装置」はＣＰＵによって実行される各種プログラムなどを記憶している。また、「メインメモリ」は、プログラムがＣＰＵによって実行される際の作業領域であるワーク領域を提供する。また、この「メインメモリ」や「記憶装置」にはそれぞれ複数のアドレスが割り当てられており、「ＣＰＵ」の演算処理においては、そのアドレスを特定し格納されているデータにアクセスすることで、データを用いた演算処理を行うことが可能となっている。
【００４７】
ＣＰＵは、メインメモリに展開された番組抽出プログラムを実行し、記憶装置に記憶されているルールを取得する。続いて、ＥＰＧを取得してそれらに含まれる各番組の諸データを所定のアドレスに格納する。さらに、番組を抽出するためのルールにおいて判断の対象となる番組のデータを取得し、当該データがルールに適合するものであるかを判断する。適合するデータを持つ番組を抽出された番組として当該番組の諸データと関連付けて一旦保持する。続いて、選択情報送信プログラムを実行し、視聴部から出力されている番組のデータを取得して所定の領域に保持する。さらに、抽出された番組と視聴部から出力されている番組が同一であるか判断する。同一でない場合には当該抽出された番組のデータを選択情報として送信回路を介してリモコン装置に対して送信する。
【００４８】
図５は、本実施形態に係るリモコンシステムのリモコン装置のハードウェア構成の一例を示す概略図である。この図では、タッチ型チャンネル選択インターフェイス部が、タッチパネルを備える場合について説明する。リモコン装置は、制御部に「ＣＰＵ」（０５０１）と、ＣＰＵで実行するためのプログラムを記憶する不揮発性メモリである「プログラムメモリ」（０５０２）を備える。また、選択情報や画面表示用データなどを記憶する「ＥＥＰＲＯＭ」（０５０３）を備え、リモコン側受信部に「受信回路」（０５０４）を備える。さらに、タッチ型チャンネル選択インターフェイス部に「表示回路」（０５０５）と「タッチパネル」（０５０６）を備える。「プログラムメモリ」は、プログラムがＣＰＵによって実行される際の作業領域であるワーク領域を提供する。
【００４９】
リモコン装置は、テレビ装置（０５００）から送信された選択情報を受信回路にて受信する。ＣＰＵは、選択情報の受信に応じてＥＥＰＲＯＭに記憶されている制御プログラムを実行し、選択情報に基づき裏番組のチャンネル情報を取得する。そして、取得したチャンネル情報に応じてタッチの部分の形態を変化させた画面表示用データを読み出す。そして、当該画面表示用データを表示回路に転送し、タッチパネルに表示させる。なお、リモコン装置のタッチ型チャンネル選択インターフェイス部が機械式のボタンなどを備える場合には、ボタンあるいはボタン近傍をＬＥＤ等で点滅あるいは点灯させるハードウェア制御を行うプログラムを実行させるなどしてタッチ部分の形態を変化させる。
<実施形態１  処理の流れ>
【００５０】
図６は、本実施形態のリモコンシステムにおける処理の流れの一例を表すフローチャートである。なお、以下に示すステップは、媒体に記録され計算機を制御するためのプログラムを構成する処理ステップであっても構わない。まず、テレビ装置にて、ＥＰＧを利用して番組抽出のためのルールに従い番組を抽出する（ステップＳ０６０１）。そして、ステップＳ０６０１にて抽出された番組がその番組の放送時間帯に視聴のために出力されず、他の番組が視聴のために出力されることで、抽出された番組が裏番組となるかを判断する（ステップＳ０６０２）。ステップＳ０６０２での判断結果が、抽出された番組が裏番組となるとの判断結果である場合に、その裏番組のチャンネル選択のための選択情報をリモコン装置に送信する（ステップＳ０６０３）。ここまでの処理の流れは、主にテレビ装置にて行われる。以下の処理の流れは、主にリモコン装置にて行われる。リモコン装置は、ステップＳ０６０３にて送信された選択情報を受信する（ステップＳ０６０４）。そして、ステップＳ０６０４にて受信された選択情報に応じて、タッチ型チャンネル選択インターフェイスに対して制御信号を送信する（ステップＳ０６０５）。ステップＳ０６０５にて送信された制御信号に応じてタッチ型チャンネル選択インターフェイスのタッチ部分の形態を変化させる（ステップＳ０６０６）。
<実施形態１  効果>
【００５１】
本実施形態におけるリモコンシステムにより、所定のルールに適合する裏番組が存在する場合に、その裏番組の存在をリモコン装置に通知するとともに、直感的な操作を誘導する。
<実施形態２>
<実施形態２  概要>
【００５２】
本実施形態は、実施形態１を基本として、番組抽出のためのルールがユーザに推薦する番組を抽出するものであることを特徴とするリモコンシステムである。
<実施形態２  構成>
【００５３】
本実施形態のリモコンシステムは、実施形態１におけるテレビ装置のルール保持部が、さらに、ユーザに推薦する番組抽出のためのルールを保持する推薦番組抽出ルールを保持する推薦番組抽出ルール保持手段を有するものである。
【００５４】
本実施形態に係るリモコンシステムの機能ブロック図を図７に例示する。リモコンシステムは、「テレビ装置」（０７００）と「リモコン装置」（０７１０）とを備える。テレビ装置は、「視聴部」（０７０１）と、「ＥＰＧ保持部」（０７０２）と、「ルール保持部」（０７０３）と、「番組抽出部」（０７０４）と、「テレビ側送信部」（０７０５）とを有し、「ルール保持部」（０７０３）は、さらに、「推薦番組抽出ルール保持手段」（０７０６）を有する。リモコン装置は、「リモコン側受信部」（０７１１）と、「制御部」（０７１２）と、「タッチ型チャンネル選択インターフェイス部」（０７１３）とを有する。
【００５５】
「推薦番組抽出ルール保持手段」（０７０６）は、ユーザに推薦する番組抽出のためのルールである推薦番組抽出ルールを保持する機能を有する。ユーザに推薦する番組とは、ユーザに対して視聴や録画の対象として推薦する番組をいう。推薦番組抽出ルールとしては、例えば、ユーザの好みに合致する番組を抽出するルールなどがある。ＥＰＧには、番組毎に、属性情報としての「タイトル」「ジャンル」「出演者」「内容」などが付帯している。これらを活用して、ユーザが設定した「ジャンル」や「出演者」、または、ユーザが設定したキーワードを含む「タイトル」や「内容」を属性情報として付帯している番組を抽出することによりユーザの好みに合致する番組を抽出することができる。ユーザが好みの「ジャンル」やキーワードなどをあらかじめ設定しなくても、かかるＥＰＧを利用して、蓄積した視聴履歴や録画履歴を参照してユーザが視聴や録画をすることの多い「ジャンル」やキーワードを抽出することによりユーザの好みを推測することが可能である。推薦番組抽出ルール保持手段は、このようなルールを所定の記憶領域に記憶することにより実現され得る。
<実施形態２  ハードウェア構成>
【００５６】
図８に本実施形態におけるテレビ装置のハードウェア構成の一例を示す。なお、リモコン装置については実施形態１と同様なので図示を省略する。本実施形態のリモコンシステムのハードウェア構成は、実施形態１のハードウェア構成に準ずるため詳細な説明は省略する。「記憶装置」（０８０３）には、推薦番組抽出ルールが記憶されていて、「ＣＰＵ」（０８０１）は、「メインメモリ」（０８０２）に展開した番組抽出プログラムを実行し推薦番組抽出ルールを取得する。そして、推薦番組抽出ルールに則して番組抽出の処理を行う。
<実施形態２  効果>
【００５７】
本実施形態におけるリモコンシステムにより、ユーザに推薦する番組が裏番組となっている場合に、その裏番組の存在をリモコン装置に通知するとともに、直感的な操作を誘導する。
<実施形態３>
<実施形態３  概要>
【００５８】
本実施形態は、実施形態１または２を基本として、リモコン装置のタッチ型チャンネル選択インターフェイス部が、制御信号に応じて色彩、形状、模様が変化するボタンを有することを特徴とするリモコンシステムである。
<実施形態３  構成>
【００５９】
本実施形態のリモコンシステムは、実施形態１または２におけるリモコン装置のタッチ型チャンネル選択インターフェイス部が、さらに、制御信号に応じて色彩が変化するボタンと制御信号に応じて形状が変化するボタンと制御信号に応じて模様が変化するボタンを有するものである。
【００６０】
本実施形態に係るリモコンシステムの機能ブロック図を図９に例示する。リモコンシステムは、「テレビ装置」（０９００）と「リモコン装置」（０９１０）とを備える。テレビ装置は、「視聴部」（０９０１）と、「ＥＰＧ保持部」（０９０２）と、「推薦番組抽出ルール保持手段」（０９０６）を有する「ルール保持部」（０９０３）と、「番組抽出部」（０９０４）と、「テレビ側送信部」（０９０５）とを有する。リモコン装置は、「リモコン側受信部」（０９１１）と、「制御部」（０９１２）と、「タッチ型チャンネル選択インターフェイス部」（０９１３）とを有し、「タッチ型チャンネル選択インターフェイス部」（０９１３）は、さらに、「色彩変化型ボタン」（０９１４）と「形状変化型ボタン」（０９１５）と「模様変化型ボタン」（０９１６）を有する。
【００６１】
「色彩変化型ボタン」（０９１４）は、制御信号に応じて色彩が変化するボタンである。「ボタン」とは、指やスタイラスペンなどでタッチや押下されることにより指示入力を受付ける所定の領域や部分をいう。したがって、「ボタン」には、タッチ型チャンネル選択インターフェイス部に機械的に備えられた「ボタン」だけでなく、タッチ型チャンネル選択インターフェイス部がタッチパネルなどを備える場合には、指示入力を受付けるためのタッチ部分を特定するように描写等されたボタンやボタンを表象するアイコンなどの図柄も含まれる。また、「変化」には、相対的な変化の含むものとする。例えば、選択情報を直接的に示すボタンを変化させる場合だけでなく、選択情報を直接的に示すボタン以外を変化させることも含む（本明細書の全体を通じて同様である）。
【００６２】
「色彩」は、「色」と「輝度」とで構成するものとする。したがって、「ボタンの色彩」とは、タッチパネルにおけるボタンである場合には、描写されているボタンの「色」と「輝度」とで構成される。また、機械式ボタンの場合には、ボタン自体及びボタン近傍の「色」と「輝度」とで構成されるものとする。ボタン自体の色彩には、ボタンを光に対する透過性を有する材質で形成し、ボタン内部を電球やＬＥＤ等の発光素子で照らすことによりボタン自体が「色」と「輝度」を発する場合や、ボタンに示された数字や文字列を照らす場合などがある。ボタン近傍の色彩とは、ボタンが備えられている周囲などを照らす「色」や「輝度」をいう。
【００６３】
色彩変化型ボタンは、受信した選択情報に応じて制御部から送られた制御信号に応じて上述した色彩が変化するボタンである。色彩の変化は、タッチパネルでのボタンの場合には変化したグラフィックによる描画を制御信号に応じて書き換える描画処理を行うなどして実現する。機械式のボタンの場合には、ボタン自体あるいはボタン近傍に複数の色を発光するために備えられた電球やＬＥＤ等の発光素子を切り替えたり、付加する電圧を変化させるなどして、色と輝度の変化が実現される。
【００６４】
「形状変化型ボタン」（０９１５）は、制御信号に応じて形状が変化するボタンである。ボタンがタッチパネルでグラフィックにて描写される場合には、異なる形状に描写されたボタンに変化させるなどして、タッチパネルにおけるボタンの形状は変化する。形状変化型ボタンの一例を図１０Ａに示す。選択情報を示す「１２」のボタンが、四角形から星形に変化する。
【００６５】
「模様変化型ボタン」（０９１６）は、制御信号に応じて形状が変化するボタンである。
ボタンがタッチパネルでグラフィックにて描写される場合には、異なる模様が施されて描写されたボタンに変化させるなどして、タッチパネルにおけるボタンの模様は変化する。模様変化型ボタンの一例を図１０Ｂに示す。選択情報を示す「１０」のボタン以外のボタンが網掛けられたボタンに変化することにより、「１０」のボタンが相対的に変化する。
【００６６】
本実施形態におけるリモコンシステムは、上記の「色彩変化型ボタン」、「形状変化型ボタン」、「模様変化型ボタン」のいずれか一を有するものであってもよいし、いずれか二を有するものであってもよいし、すべてを有するものであってもよい。
<実施形態３  ハードウェア構成>
【００６７】
本実施形態のリモコンシステムのハードウェア構成は、実施形態１または２のハードウェア構成に準ずるため詳細な説明は省略する。リモコン装置において、ＣＰＵは、選択情報の受信に応じてＥＥＰＲＯＭに記憶されている制御プログラムを実行し、選択情報に基づき裏番組のチャンネル情報を取得する。そして、取得したチャンネル情報に応じてボタンの「色彩」、「形状」、「模様」を変化させた画面表示用データを読み出す。そして、当該画面表示用データを表示回路に転送し、タッチパネルに表示させる。なお、リモコン装置のタッチ型チャンネル選択インターフェイス部が機械式のボタンなどを備える場合には、ボタンあるいはボタン近傍をＬＥＤ等で点滅あるいは点灯させるハードウェア制御を行うプログラムを実行させるなどしてタッチ部分を変化させる。
<実施形態３  効果>
【００６８】
本実施形態におけるリモコンシステムにより、ユーザに推薦する番組が裏番組となっている場合に、リモコン装置のボタンの色彩、形状、模様を変化させてその裏番組の存在を通知するとともに、直感的な操作を誘導する。
<実施形態４>
<実施形態４  概要>
【００６９】
本実施形態は、実施形態１から３のいずれかを基本として、リモコン装置のタッチ型チャンネル選択インターフェイス部が、制御信号に応じて複数のタッチ部分の形態を同時に変化させることを特徴とするリモコンシステムである。
<実施形態４  構成>
【００７０】
本実施形態のリモコンシステムは、実施形態１から３のいずれかにおけるリモコン装置のタッチ型チャンネル選択インターフェイス部が、さらに、制御信号に応じて複数のタッチ部分の形態を同時に変化させる同時変化手段を有するものである。
【００７１】
本実施形態に係るリモコンシステムの機能ブロック図を図１１に例示する。リモコンシステムは、「テレビ装置」（１１００）と「リモコン装置」（１１１０）とを備える。テレビ装置は、「視聴部」（１１０１）と、「ＥＰＧ保持部」（１１０２）と、「推薦番組抽出ルール保持手段」（１１０６）を有する「ルール保持部」（１１０３）と、「番組抽出部」（１１０４）と、「テレビ側送信部」（１１０５）とを有する。リモコン装置は、「リモコン側受信部」（１１１１）と、「制御部」（１１１２）と、「タッチ型チャンネル選択インターフェイス部」（１１１３）とを有し、「タッチ型チャンネル選択インターフェイス部」（１１１３）は、「色彩変化型ボタン」（１１１４）と「形状変化型ボタン」（１１１５）と「模様変化型ボタン」（１１１６）と、さらに、「同時変化手段」（１１１７）を有する。
【００７２】
「同時変化手段」（１１１７）は、制御信号に応じて複数のタッチ部分の形態を同時に変化させる機能を有する。「同時に」とは、時間的に厳密な意味ではなく、「ほとんど同じ時に」や「いちどきに」という意味合いである。同時変化手段による変化の具体例を図１２に示す。ここでは、タッチ部分として、実施形態３の「色彩変化型ボタン」と「形状変化型ボタン」と「模様変化型ボタン」とを有するものとする。図１２Ａにおいて、制御信号が、選択情報である「３７チャンネル」を示すための「３」及び「７」のボタンの形態を同時に変化させるものである場合に、他の数字ボタンと同様に表示されていた「３」及び「７」のボタンが、「ハート型」に形状変化する。また、図１２Ｂにおいて、制御信号が、選択情報である「４６チャンネル」を示すための「４」及び「６」のボタンの形態を同時に変化させるものである場合に、「４」及び「６」のボタン自体あるいはボタン近傍を所定の色彩を発するための電球や発光素子等が「点灯／点滅」するよう変化する。
<実施形態４  ハードウェア構成>
【００７３】
本実施形態のリモコンシステムのハードウェア構成は、実施形態１から３のハードウェア構成に準ずるため詳細な説明は省略する。リモコン装置において、ＣＰＵは、選択情報の受信に応じてＥＥＰＲＯＭに記憶されている制御プログラムを実行し、選択情報に基づき裏番組のチャンネル情報を取得する。そして、取得したチャンネル情報に応じて複数のタッチ部分を変化させた画面表示用データを読み出す。そして、当該画面表示用データを表示回路に転送し、タッチパネルに表示させる。なお、リモコン装置のタッチ型チャンネル選択インターフェイス部が機械式のボタンなどを備える場合には、ボタンあるいはボタン近傍をＬＥＤ等で点滅あるいは点灯させるハードウェア制御を行うプログラムを実行させるなどしてタッチ部分を変化させる。
<実施形態４  効果>
【００７４】
本実施形態におけるリモコンシステムにより、ユーザに推薦する番組などが裏番組となっている場合に、リモコン装置のタッチ部分の形態を同時に変化させてその裏番組の存在を通知するとともに、直感的な操作を誘導する。
<実施形態５>
<実施形態５  概要>
【００７５】
本実施形態は、実施形態１から４のいずれかを基本として、リモコン装置のタッチ型チャンネル選択インターフェイス部が、制御信号に応じて複数のタッチ部分の形態を時系列に変化させることを特徴とするリモコンシステムである。
<実施形態５  構成>
【００７６】
本実施形態のリモコンシステムは、実施形態１から４のいずれかにおけるリモコン装置のタッチ型チャンネル選択インターフェイス部が、さらに、制御信号に応じて複数のタッチ部分の形態を時系列に変化させる時系列手段を有するものである。
【００７７】
本実施形態に係るリモコンシステムの機能ブロック図を図１３に例示する。リモコンシステムは、「テレビ装置」（１３００）と「リモコン装置」（１３１０）とを備える。テレビ装置は、「視聴部」（１３０１）と、「ＥＰＧ保持部」（１３０２）と、「推薦番組抽出ルール保持手段」（１３０６）を有する「ルール保持部」（１３０３）と、「番組抽出部」（１３０４）と、「テレビ側送信部」（１３０５）とを有する。リモコン装置は、「リモコン側受信部」（１３１１）と、「制御部」（１３１２）と、「タッチ型チャンネル選択インターフェイス部」（１３１３）とを有し、「タッチ型チャンネル選択インターフェイス部」（１３１３）は、「色彩変化型ボタン」（１３１４）と「形状変化型ボタン」（１３１５）と「模様変化型ボタン」（１３１６）と、「同時変化手段」（１３１７）と、さらに、「時系列変化手段」（１３１８）を有する。
【００７８】
「時系列変化手段」（１３１８）は、制御信号に応じて複数のタッチ部分の形態を時系列に変化させる機能を有する。「時系列に変化」とは、時間の経過とともに変化することなどをいう。ここでは、制御信号に応じて複数のタッチ部分の形態が時間の経過とともに変化することなどをいう。具体例を、図１４を用いて説明する。図１４Ａは、機械的なボタンを備えるタッチ型チャンネルインターフェイス部のタッチ部分であるボタンの形態が時系列に変化する場合を示している。制御信号が、抽出された番組の選択情報としての「１５７チャンネル」に応じたものである場合に、当該信号に応じてボタンは「１」→「５」→「７」と時系列に点灯又は点滅し、また、あわせて、発光色を変化させるなどしてもよい。これにより、ユーザは、「１５７チャンネル」に裏番組が存在することを認識することができる。なお、当該裏番組の視聴等を開始するための操作としては、「１」→「５」→「７」とボタンを押すようにしてもよいし、他のボタン、例えば「決定」ボタンなどを押すようにするなどしてもよい。
【００７９】
図４Ｂは、タッチパネルを備えるタッチ型チャンネルインターフェイス部のタッチ部分の形態が時系列に変化する場合を示している。制御信号が、抽出された番組の選択情報としての「６１チャンネル」に応じたものである場合に、当該信号に応じて「６」→「１」と数字を表示するタッチ部分が大きくなる、次いで、「６１」をハートで囲んだタッチ部分が大きく表示されるように変化する。図においては、変化がループするように示しているがループしなくてもよい。なお、当該裏番組の視聴等を開始するための操作としては、「６」→「１」タッチ部分を押すようにしてもよいし、ハートで囲んだ「６１」を押すようにするなどしてもよい。
<実施形態５  ハードウェア構成>
【００８０】
本実施形態のリモコンシステムのハードウェア構成は、実施形態１から４のいずれかのハードウェア構成に準ずるため詳細な説明は省略する。リモコン装置において、ＣＰＵは、選択情報の受信に応じてＥＥＰＲＯＭに記憶されている制御プログラムを実行し、選択情報に基づき裏番組のチャンネル情報を取得する。そして、取得したチャンネル情報に応じて複数のタッチ部分を時系列に変化させたそれぞれの画面表示用データを読み出す。そして、当該画面表示用データを表示回路に転送し、タッチパネルに所定の時間的間隔で各画面表示用データを表示させるよう指示する。なお、リモコン装置のタッチ型チャンネル選択インターフェイス部が機械式のボタンなどを備える場合には、ボタンあるいはボタン近傍をＬＥＤ等で所定の時間的間隔で点滅あるいは点灯させるハードウェア制御を行うプログラムを実行させるなどしてタッチ部分を変化させる。
<実施形態５  効果>
【００８１】
本実施形態におけるリモコンシステムにより、ユーザに推薦する番組などが裏番組となっている場合に、リモコン装置のタッチ部分の形態を同時に変化させてその裏番組の存在を通知するとともに、直感的な操作を誘導する。
<実施形態６>
<実施形態６  概要>
【００８２】
本実施形態は、実施形態１から５のいずれかを基本として、リモコン装置のタッチ型チャンネル選択インターフェイス部に対して送信される制御信号に応じて告知音を出力することを特徴とするリモコンシステムである。
<実施形態６  構成>
【００８３】
本実施形態のリモコンシステムは、実施形態１から５のいずれかにおけるリモコン装置が、タッチ型チャンネル選択インターフェイス部に対して送信される制御信号に応じて告知音を出力する告知音出力部を有するものである。
【００８４】
本実施形態に係るリモコンシステムの機能ブロック図を図１５に例示する。リモコンシステムは、「テレビ装置」（１５００）と「リモコン装置」（１５１０）とを備える。テレビ装置は、「視聴部」（１５０１）と、「ＥＰＧ保持部」（１５０２）と、「推薦番組抽出ルール保持手段」（１５０６）を有する「ルール保持部」（１５０３）と、「番組抽出部」（１５０４）と、「テレビ側送信部」（１５０５）とを有する。リモコン装置は、「リモコン側受信部」（１５１１）と、「制御部」（１５１２）と、「タッチ型チャンネル選択インターフェイス部」（１５１３）と、さらに、「告知音出力部」（１５１９）を有し、「タッチ型チャンネル選択インターフェイス部」（１５１５）は、「色彩変化型ボタン」（１５１４）と「形状変化型ボタン」（１５１５）と「模様変化型ボタン」（１５１６）と、「同時変化手段」（１５１７）と、「時系列変化手段」（１５１８）を有する。
【００８５】
「告知音出力部」（１５１９）は、リモコン装置のタッチ型チャンネル選択インターフェイス部に対して送信される制御信号に応じて告知音を出力する機能を有する。告知音はベルやチャイムのように機械的に出力してもよいし、スピーカなどを介して電気的に出力してもよい。また、告知音は単独音に限らず、旋律を有するものであったり人工的な声などでもよい。告知音の出力は、タッチ部分の形態の変化と同期させてもよい。あるいは、タッチ部分の形態の変化に先立って出力してもよい。
<実施形態６  ハードウェア構成>
【００８６】
本実施形態のリモコンシステムのハードウェア構成は、実施形態１から５のいずれかのハードウェア構成に準ずるため詳細な説明は省略する。リモコン装置において、ＣＰＵは、選択情報の受信に応じてＥＥＰＲＯＭに記憶されている制御プログラムを実行し、選択情報に基づき裏番組のチャンネル情報を取得する。そして、取得したチャンネル情報に応じてＥＥＰＲＯＭに記憶されている告知音データを読み出す。そして、当該告知音データを音声出力のためのスピーカなどに転送し、告知音を出力する。
<実施形態６  効果>
【００８７】
本実施形態におけるリモコンシステムにより、ユーザに推薦する番組などが裏番組となっている場合に、告知音によりユーザに対してその裏番組の存在を聴覚的に通知する。
<実施形態７>
<実施形態７  概要>
【００８８】
本実施形態は、実施形態１から６のいずれかを基本として、テレビ装置が、複数の裏番組のチャンネル選択のための選択情報をリモコン装置に送信することを特徴とするリモコンシステムである。
<実施形態７  構成>
【００８９】
本実施形態のリモコンシステムは、実施形態１から６のいずれかにおけるテレビ装置のテレビ側送信部が、送信される選択情報として複数の裏番組のチャンネル選択のための選択情報を送信する複数送信手段を有するものである。
【００９０】
本実施形態に係るリモコンシステムの機能ブロック図を図１６に例示する。リモコンシステムは、「テレビ装置」（１６００）と「リモコン装置」（１６１０）とを備える。テレビ装置は、「視聴部」（１６０１）と、「ＥＰＧ保持部」（１６０２）と、「推薦番組抽出ルール保持手段」（１６０６）を有する「ルール保持部」（１６０３）と、「番組抽出部」（１６０４）と、「テレビ側送信部」（１６０５）とを有し、「テレビ側送信部」（１６０５）は、さらに、「複数送信手段」（１６０７）を有する。リモコン装置は、「リモコン側受信部」（１６１１）と、「制御部」（１６１２）と、「タッチ型チャンネル選択インターフェイス部」（１６１３）と、「告知音出力部」（１６１９）を有し、「タッチ型チャンネル選択インターフェイス部」（１６１６）は、「色彩変化型ボタン」（１６１４）と「形状変化型ボタン」（１６１５）と「模様変化型ボタン」（１６１６）と、「同時変化手段」（１６１７）と、「時系列変化手段」（１６１８）を有する。
【００９１】
「複数送信手段」（１６０７）は、送信される選択情報として複数の裏番組のチャンネル選択のための選択情報を送信する機能を有する。抽出された裏番組は必ずしも一つであるとは限らない。そこで、裏番組が複数存在する場合には、それらのチャンネル選択のための選択情報をリモコン装置に送信する。
<実施形態７  ハードウェア構成>
【００９２】
本実施形態のリモコンシステムのハードウェア構成は、実施形態１から６のいずれかのハードウェア構成に準ずるため詳細な説明は省略する。
<実施形態７  効果>
【００９３】
本実施形態におけるリモコンシステムにより、複数の裏番組が存在する場合であっても、リモコン装置のタッチ部分の形態を同時に変化させてその裏番組の存在を通知するとともに、直感的な操作を誘導する。
<実施形態８>
<実施形態８  概要>
【００９４】
本実施形態は、実施形態７を基本として、リモコン装置のタッチ型チャンネル選択インターフェイス部が、複数チャンネル選択分の制御信号が制御部から送信された場合には、各チャンネルに応じてタッチ部分の形態の変化を識別できるように形態の変化をさせることを特徴とするリモコンシステムである。
<実施形態８  構成>
【００９５】
本実施形態のリモコンシステムは、実施形態７におけるリモコン装置のタッチ型チャンネル選択インターフェイス部が、さらに、複数チャンネル選択分の制御信号が制御部から送信された場合には、各チャンネルに応じてタッチ部分の形態の変化を識別できるように形態の変化をさせるチャンネル別変化手段を有するものである。
【００９６】
本実施形態に係るリモコンシステムの機能ブロック図を図１７に例示する。リモコンシステムは、「テレビ装置」（１７００）と「リモコン装置」（１７１０）とを備える。テレビ装置は、「視聴部」（１７０１）と、「ＥＰＧ保持部」（１７０２）と、「推薦番組抽出ルール保持手段」（１７０６）を有する「ルール保持部」（１７０３）と、「番組抽出部」（１７０４）と、「テレビ側送信部」（１７０５）とを有し、「テレビ側送信部」（１７０５）は、さらに、「複数送信手段」（１７０７）を有する。リモコン装置は、「リモコン側受信部」（１７１１）と、「制御部」（１７１２）と、「タッチ型チャンネル選択インターフェイス部」（１７１３）と、「告知音出力部」（１７１９）を有し、「タッチ型チャンネル選択インターフェイス部」（１７１７）は、「色彩変化型ボタン」（１７１４）と「形状変化型ボタン」（１７１５）と「模様変化型ボタン」（１７１６）と、「同時変化手段」（１７１７）と、「時系列変化手段」（１７１８）と、さらに、「チャンネル別変化手段」（１７２０）を有する。
【００９７】
「チャンネル別変化手段」（１７２０）は、複数チャンネル選択分の制御信号が制御部から送信された場合には、各チャンネルに応じてタッチ部分の形態の変化を識別できるように形態の変化をさせる機能を有する。ここで、各チャンネルに応じてタッチ部分の形態を識別できるように形態の変化をさせるとは、複数の裏番組が存在すること、および、それぞれのチャンネルを特定して認識できるように各チャンネル単位でタッチ部分の形態を変化させることをいう。具体例としては、例えば、第一の裏番組についてのタッチ部分の変化を元の色彩から青色の色彩に変化させるとともに形状を変化させ、第二の裏番組についてのタッチ部分の変化を元の色彩から赤色の色彩に変化させるとともに形状を変化させる。すると、ユーザにとっては、青色にて形状が変化したタッチ部分の変化と、赤色にて形状が変化したタッチ部分の変化とを、二つの異なる裏番組に応じたボタン部分の形態の変化であることを認識でき、つまりは、二つの異なる裏番組が存在することを知るに至り、かつ、その変化により直観的な操作を行うことができる。
<実施形態８  ハードウェア構成>
【００９８】
本実施形態のリモコンシステムのハードウェア構成は、実施形態７のハードウェア構成に準ずるため詳細な説明は省略する。
<実施形態８  効果>
【００９９】
本実施形態におけるリモコンシステムにより、複数の裏番組が存在する場合であっても、ユーザに対し個々の裏番組を認識させるとともに直観的な操作を誘導する。
【図面の簡単な説明】
【０１００】
【図１】実施形態１に係るリモコンシステムの機能ブロック図
【図２】実施形態１に係るＸＭＬ形式の選択情報の一例図
【図３】実施形態１のタッチ部分の形態の変化の一例図
【図４】実施形態１に係るテレビ装置のハードウェア構成の一例図
【図５】実施形態１に係るリモコン装置のハードウェア構成の一例図
【図６】実施形態１に係るリモコンシステムの動作方法のフロー図
【図７】実施形態２に係るリモコンシステムの機能ブロック図
【図８】実施形態２に係るテレビ装置のハードウェア構成の一例図
【図９】実施形態３に係るリモコンリコメンドシステムの機能ブロック図
【図１０】実施形態３に係る形状変化型ボタン及び模様変化型ボタンの一例図
【図１１】実施形態４に係るリモコンシステムの機能ブロック図
【図１２】実施形態４に係る同時変化手段による変化の態様の一例図
【図１３】実施形態５に係るリモコンシステムの機能ブロック図
【図１４】実施形態５に係る時系列変化手段による変化の態様の一例図
【図１５】実施形態６に係るリモコンシステムの機能ブロック図
【図１６】実施形態７に係るリモコンシステムの機能ブロック図
【図１７】実施形態８に係るリモコンシステムの機能ブロック図
【符号の説明】
【０１０１】
０１００    テレビ装置
０１０１    視聴部
０１０２    ＥＰＧ保持部
０１０３    ルール保持部
０１０４    番組抽出部
０１０５    テレビ側送信部
０１１０    リモコン装置
０１１１    リモコン側受信部
０１１２    制御部
０１１３    タッチ型チャンネル選択インターフェイス部
【図１】
2010135948.tif 000003
【図２】
2010135948.tif 000004
【図３】
2010135948.tif 000005
【図４】
2010135948.tif 000006
【図５】
2010135948.tif 000007
【図６】
2010135948.tif 000008
【図７】
2010135948.tif 000009
【図８】
2010135948.tif 000010
【図９】
2010135948.tif 000011
【図１０】
2010135948.tif 000012
【図１１】
2010135948.tif 000013
【図１２】
2010135948.tif 000014
【図１３】
2010135948.tif 000015
【図１４】
2010135948.tif 000016
【図１５】
2010135948.tif 000017
【図１６】
2010135948.tif 000018
【図１７】
2010135948.tif 000019